(57)【特許請求の範囲】
【請求項１】
ラベル基材と、
このラベル基材の裏面に形成する粘着剤層と、
このラベル基材の表面に形成する感熱発色剤層と、
この感熱発色剤層の上層に形成する剥離剤層と、を有し、
前記ラベル基材は、
前記感熱発色剤層において少なくとも値下げ用バーコードを含む値下げ用の印字を行うことができるラベル本体領域と、
このラベル本体領域から外方に突出しているとともに、すでに商品に表示されている少なくとも元価格表示のバーコード部分を隠蔽可能なバーコード隠蔽領域と、を形成している値下げ用台紙なしラベルであって、
前記ラベル本体領域の表面に、前記剥離剤層を形成した剥離領域と、前記剥離剤層を形成しない非剥離領域と、を区分けして形成するとともに、
この非剥離領域が、前記感熱発色剤層において印字される前記値下げ用バーコードの一部を含むことができるようにしてあり、
前記ラベル本体領域から外方に突出するバーコード隠蔽領域は、ラベル本体領域の左右に一対設けられており、
該ラベル本体領域のうちバーコード隠蔽領域に接続する部分は非剥離領域であることを特徴とする値下げ用台紙なしラベル。
【請求項２】
前記ラベル本体領域における前記剥離領域の裏面側に前記粘着剤層を形成するとともに、
前記ラベル本体領域における前記非剥離領域の裏面側に前記粘着剤層を設けていない非粘着剤層を形成していることを特徴とする請求項１記載の値下げ用台紙なしラベル。
【請求項３】
前記ラベル基材における前記バーコード隠蔽領域の少なくとも一部において、
前記ラベル基材の裏面に前記粘着剤層を形成するとともに、
前記ラベル基材の表面に前記粘着剤層に対応する前記剥離剤層を形成したことを特徴とする請求項１記載の値下げ用台紙なしラベル。
【発明の詳細な説明】
【技術分野】
【０００１】
本発明は値下げ用台紙なしラベルおよびその印字方法にかかるもので、とくに複数回にわたって値下げ処分を行うための値下げ用台紙なしラベルおよびその印字方法に関するものである。
【背景技術】
【０００２】
従来から、すでに商品に表示されている少なくとも元価格表示のバーコード部分を隠蔽可能なバーコード隠蔽領域を有する値下げ用台紙なしラベルが開発されている。
上記値下げ用台紙なしラベルについて、図５ないし図７にもとづき概説する。
図５は、価格表示ラベル１および値下げ用台紙なしラベル２の平面図である。
価格表示ラベル１は、商品Ｍの所定部位にこれを貼り付けてあるものであって、商品Ｍに関する必要な各種の情報、たとえば小売店の名称３、商品名４および価格５などを表示している。なお、とくに、商品名ないし商品番号などをバーコード６により表示している。
【０００３】
値下げ用台紙なしラベル２は、図５に示すように、矩形状のラベル本体領域７と、バーコード隠蔽領域８と、を有する。
図６は、図５のＶＩ−ＶＩ線断面図であって、値下げ用台紙なしラベル２は、ラベル本体領域７およびバーコード隠蔽領域８を形成するラベル基材９と、このラベル基材９の表面の全面に形成した感熱発色剤層１０と、この感熱発色剤層１０の表面（上層側）の全面に形成したシリコーン剥離剤などによる剥離剤層１１と、ラベル基材９の裏面の全面に形成した粘着剤層１２と、を有する、いわゆる省資源化を目指した台紙なしラベルの積層構造を有する。なお、この値下げ用台紙なしラベル２を連続状につなげてラベル連続体とし、所定のプリンター（図示せず）に装填した際にその位置を検出するための位置検出用マーク１３をラベル基材９の裏面側に形成することができる。
【０００４】
ラベル本体領域７は、上記感熱発色剤層１０において少なくとも値下げ用の印字（たとえば、値下げ価格１４や値下げ用バーコード１５）を行うことができるものである。
バーコード隠蔽領域８は、このラベル本体領域７より比較的小さな面積の、たとえば矩形状であって、ラベル本体領域７から外方片側（図中、右方）に突出しているとともに、上記価格表示ラベル１における商品名４や価格５を避けるとともに、バーコード６の一部を覆ってその機械的な読み取りを不可能とする（図５中、仮想線を参照）。
【０００５】
したがって、商品Ｍ買上げの際、価格表示ラベル１のバーコード６ではなく、値下げ用台紙なしラベル２の値下げ用バーコード１５をレジにおいて読み取ることにより、バーコード６の読み間違いを防止しつつ、値下げ処理を行うことができる。
【０００６】
しかしながら、商品Ｍの売れ行きに応じて、あるいは小売店の閉店までの時間に応じて、複数回にわたって価格の変更（値下げ）が行われることがあり、この場合、値下げ用台紙なしラベル２が複数回にわたって重ねて貼り付けられてゆくことになる。
図７は、この値下げ用台紙なしラベル２が複数回（たとえば二度）にわたって重ねて貼り付けられた状態を示す平面図であって、価格表示ラベル１にはじめに貼り付けられた値下げ用台紙なしラベル２（値下げ用台紙なしラベル２Ａ）のバーコード隠蔽領域８が価格表示ラベル１のバーコード６を隠蔽している。
しかしながら、最初に貼った値下げ用台紙なしラベル２Ａの値下げ用バーコード１５を隠蔽するはずの二度目に貼る値下げ用台紙なしラベル２（値下げ用台紙なしラベル２Ｂ）が値下げ用台紙なしラベル２Ａの表面の剥離剤層１１上に貼り付けられることになるので、値下げ用台紙なしラベル２Ｂの粘着剤層１２の粘着性が低下し、値下げ用台紙なしラベル２Ａから剥離しやすいという問題がある。
このはがれた、あるいは故意にはがした値下げ用台紙なしラベル２Ｂを他の値下げ用台紙なしラベル２（あるいは値下げ用台紙なしラベル２Ａ）に貼り付ける不正行為を誘発するという問題もある。
【０００７】
【特許文献１】特開２００１−１８３９８４号公報
【発明の開示】
【発明が解決しようとする課題】
【０００８】
本発明は以上のような諸問題にかんがみなされたもので、とくに複数回にわたって値下げ処理が行われる場合に適正に使用可能な値下げ用台紙なしラベルおよびその印字方法を提供することを課題とする。
【０００９】
また本発明は、すでに貼り付けられている値下げ用台紙なしラベルにさらに貼り付ける値下げ用台紙なしラベルを確実に貼り付け可能とした値下げ用台紙なしラベルおよびその印字方法を提供することを課題とする。
【００１０】
また本発明は、値下げ用台紙なしラベルの値下げ用バーコードを確実に隠蔽可能とした値下げ用台紙なしラベルおよびその印字方法を提供することを課題とする。
【課題を解決するための手段】
【００１１】
すなわち本発明は、ラベル基材の表面に、剥離剤層を形成した剥離領域と、剥離剤層を形成しない非剥離領域と、を区分けして形成することに着目したもので、第一の発明は、ラベル基材と、このラベル基材の裏面に形成する粘着剤層と、このラベル基材の表面に形成する感熱発色剤層と、この感熱発色剤層の上層に形成する剥離剤層と、を有し、上記ラベル基材は、上記感熱発色剤層において少なくとも値下げ用バーコードを含む値下げ用の印字を行うことができるラベル本体領域と、このラベル本体領域から外方に突出しているとともに、すでに商品に表示されている少なくとも元価格表示のバーコード部分を隠蔽可能なバーコード隠蔽領域と、を形成している値下げ用台紙なしラベルであって、上記ラベル本体領域の表面に、上記剥離剤層を形成した剥離領域と、上記剥離剤層を形成しない非剥離領域と、を区分けして形成するとともに、この非剥離領域が、上記感熱発色剤層において印字される上記値下げ用バーコードの一部を含むことができるようにしてあり、前記ラベル本体領域から外方に突出するバーコード隠蔽領域は、ラベル本体領域の左右に一対設けられており、該ラベル本体領域のうちバーコード隠蔽領域に接続する部分は非剥離領域であることを特徴とする値下げ用台紙なしラベルである。
【００１２】
第二の発明は、ラベル基材と、このラベル基材の裏面に形成する粘着剤層と、このラベル基材の表面に形成する感熱発色剤層と、この感熱発色剤層の上層に形成する剥離剤層と、を有し、上記ラベル基材は、上記感熱発色剤層において少なくとも値下げ用バーコードを含む値下げ用の印字を行うことができるラベル本体領域と、このラベル本体領域から外方に突出しているとともに、すでに商品に表示されている少なくとも元価格表示のバーコード部分を隠蔽可能なバーコード隠蔽領域と、を形成している値下げ用台紙なしラベルの印字方法であって、上記ラベル本体領域の表面に、上記剥離剤層を形成した剥離領域と、上記剥離剤層を形成しない非剥離領域と、を区分けして形成するとともに、上記値下げ用バーコードの一部がこの非剥離領域に含まれるように上記感熱発色剤層において印字を行うことを特徴とする値下げ用台紙なしラベルの印字方法である。
【００１３】
上記ラベル本体領域における上記剥離領域の裏面側に上記粘着剤層を形成するとともに、上記ラベル本体領域における上記非剥離領域の裏面側に上記粘着剤層を設けていない非粘着剤層を形成していることができる。
【００１４】
上記ラベル基材における上記バーコード隠蔽領域の少なくとも一部において、上記ラベル基材の裏面に上記粘着剤層を形成するとともに、上記ラベル基材の表面に上記粘着剤層に対応する上記剥離剤層を形成することができる。
【発明の効果】
【００１５】
本発明による値下げ用台紙なしラベルおよびその印字方法においては、ラベル基材の表面に、剥離剤層を形成した剥離領域と、剥離剤層を形成しない非剥離領域と、を区分けして形成するようにしたので、二度目以降に貼り付ける値下げ用台紙なしラベルのバーコード隠蔽領域は、これを上記非剥離領域に貼り付けることが可能となり、値下げ用台紙なしラベルを値下げ用台紙なしラベルに確実に貼り付けることができる。
【００１６】
とくに第一の発明によれば、ラベル基材の表面に、剥離剤層を形成した剥離領域と、剥離剤層を形成しない非剥離領域と、を区分けして形成しているので、複数回にわたって値下げ用台紙なしラベルを貼り続けることができる。
【００１７】
とくに第二の発明によれば、値下げ用バーコードの一部が非剥離領域に含まれるように感熱発色剤層において印字を行うので、すでに貼られている値下げ用台紙なしラベルにさらに別の値下げ用台紙なしラベルを貼り付けたときに、すでに貼られている値下げ用台紙なしラベルにおける非剥離領域の値下げ用バーコードの一部を隠蔽して、その読取りを確実に回避することができる。
【発明を実施するための最良の形態】
【００１８】
本発明は、非剥離領域および剥離領域を少なくともラベル本体領域に区分けして形成するようにしたので、この非剥離領域に二度目以降の値下げ用台紙なしラベルを貼り付けて値下げ用バーコードを確実に隠蔽可能とし、複数回の値下げ処理に対応することができる値下げ用台紙なしラベルおよびその印字方法を実現した。
【実施例】
【００１９】
つぎに本発明の第１の実施例による値下げ用台紙なしラベル２０およびその印字方法を図１ないし図３にもとづき説明する。ただし、図５ないし図７と同様の部分には同一符号を付し、その詳述はこれを省略する。
図１は、値下げ用台紙なしラベル２０の平面図、図２は、図１のＩＩ−ＩＩ線断面図であって、値下げ用台紙なしラベル２０は、値下げ用台紙なしラベル２（図６）と同様に、ラベル基材９、感熱発色剤層１０、剥離剤層１１および粘着剤層１２を有する。
【００２０】
ただし、ラベル本体領域７の表面に、剥離剤層１１を形成した剥離領域２１と、剥離剤層１１を形成しない非剥離領域２２と、を交互に、かつ所定の面積割合に区分けして縞状に形成している。
【００２１】
さらに、ラベル本体領域７における剥離領域２１の裏面側に粘着剤層１２を形成するとともに、ラベル本体領域７における非剥離領域２２の裏面側に粘着剤層１２を設けていない非粘着剤層２３を形成している。かくして、当該値下げ用台紙なしラベル２０を連続体としてロール状に巻いた形態としても、ロールの内周側に位置する値下げ用台紙なしラベル２０と外周側に位置する値下げ用台紙なしラベル２０とが粘着剤層１２を介して貼り付いてしまうことを回避している。
【００２２】
なお、ラベル基材９におけるバーコード隠蔽領域８の少なくとも一部において、ラベル基材９の裏面に粘着剤層１２を形成するとともに、ラベル基材９の表面に粘着剤層１２に対応する剥離剤層１１を形成することが望ましい。
【００２３】
非剥離領域２２は、ラベル本体領域７の感熱発色剤層１０において印字される値下げ用バーコード１５の一部を含むことができるようにしている（図１、図２の仮想線を参照）。
すなわち、値下げ用バーコード１５の一部がこの非剥離領域２２に含まれるように感熱発色剤層１０において印字を行うものである。
【００２４】
なお、図１において、値下げ用台紙なしラベル２０を連続して値下げ用台紙なしラベル連続体とした場合に、前記位置検出用マーク１３のかわりに、それぞれの値下げ用台紙なしラベル２０の境界部に位置決め用の丸パンチ孔２４を形成することもできる。
【００２５】
こうした構成の値下げ用台紙なしラベル２０において、値下げ用台紙なしラベル２０の非剥離領域２２に値下げ用バーコード１５の一部がかかるように、値下げ用バーコード１５が印字されることになるので、前記価格表示ラベル１に最初に貼り付けられている値下げ用台紙なしラベル２０（値下げ用台紙なしラベル２０Ａ）の非剥離領域２２に、二度目に貼る値下げ用台紙なしラベル２０（値下げ用台紙なしラベル２０Ｂ）のとくにバーコード隠蔽領域８が確実に貼り付くことができる。
すなわち図３は、値下げ用台紙なしラベル２０が複数回（たとえば二度）にわたって重ねて貼り付けられた状態を示す平面図であって、価格表示ラベル１に最初に貼り付けられた値下げ用台紙なしラベル２０（値下げ用台紙なしラベル２０Ａ）は、そのバーコード隠蔽領域８が価格表示ラベル１のバーコード６の一部を隠蔽可能であり、二度目に貼り付けられる値下げ用台紙なしラベル２０（値下げ用台紙なしラベル２０Ｂ）は、その粘着剤層１２を介して値下げ用台紙なしラベル２０Ａの非剥離領域２２に確実に貼り付けられ、そのバーコード隠蔽領域８が値下げ用台紙なしラベル２０Ａの非剥離領域２２における値下げ用バーコード１５の一部を隠蔽するように貼り付けられることになる。
【００２６】
しかも、ラベル基材９におけるバーコード隠蔽領域８の少なくとも一部において、ラベル基材９の裏面に粘着剤層１２を形成しているので、バーコード隠蔽領域８が値下げ用台紙なしラベル２０Ａの非剥離領域２２に確実に貼り付くことができ、レジにおいて値下げ用バーコード１５が不用意に読み取られてしまうことを回避可能である。
【００２７】
本発明において、ラベル本体領域７およびバーコード隠蔽領域８のデザインは任意である。
たとえば図４は、本発明の第２の実施例による値下げ用台紙なしラベル３０の平面図であって、この値下げ用台紙なしラベル３０は、ラベル本体領域７の左右に一対のバーコード隠蔽領域８を有している。
さらに、ラベル本体領域７およびバーコード隠蔽領域８にわたって、上述の剥離領域２１および非剥離領域２２を交互に、かつ所定の面積割合に区分けして縞状に形成している。
【００２８】
こうした構成の値下げ用台紙なしラベル３０においても、複数回の値下げ処理における重ね合わせによる貼付け形態を確実にして、値下げ用バーコード１５の一部を隠蔽可能であり、とくに左右一対のバーコード隠蔽領域８が設けられているので、その貼付け態様に融通性を持たせることができる
【図面の簡単な説明】
【００２９】
【図１】本発明の第１の実施例による値下げ用台紙なしラベル２０の平面図である。
【図２】同、図１のＩＩ−ＩＩ線断面図である。
【図３】同、値下げ用台紙なしラベル２０が複数回（たとえば二度）にわたって重ねて貼り付けられた状態を示す平面図である。
【図４】本発明の第２の実施例による値下げ用台紙なしラベル３０の平面図である。
【図５】従来からの、価格表示ラベル１および値下げ用台紙なしラベル２の平面図である。
【図６】同、図５のＶＩ−ＶＩ線断面図である。
【図７】同、値下げ用台紙なしラベル２が複数回（たとえば二度）にわたって重ねて貼り付けられた状態を示す平面図である。
【符号の説明】
【００３０】
１  価格表示ラベル
２  値下げ用台紙なしラベル（従来、図５）
２Ａ  最初に価格表示ラベル１に貼り付けられる値下げ用台紙なしラベル（図７）
２Ｂ  二度目に値下げ用台紙なしラベル２Ａに貼り付けられる値下げ用台紙なしラベル
３  小売店の名称
４  商品名
５  価格
６  バーコード
７  ラベル本体領域
８  バーコード隠蔽領域
９  ラベル基材
１０  感熱発色剤層
１１  剥離剤層
１２  粘着剤層
１３  位置検出用マーク
１４  値下げ価格
１５  値下げ用バーコード
２０  値下げ用台紙なしラベル（第１の実施例、図１）
２０Ａ  最初に価格表示ラベル１に貼り付けられる値下げ用台紙なしラベル（図３）
２０Ｂ  二度目に値下げ用台紙なしラベル２０Ａに貼り付けられる値下げ用台紙なしラベル
２１  剥離領域
２２  非剥離領域
２３  非粘着剤層
２４  位置決め用の丸パンチ孔
３０  値下げ用台紙なしラベル（第２の実施例、図４）
Ｍ    商品
【図１】
0005187948.tif 000002
【図２】
0005187948.tif 000003
【図３】
0005187948.tif 000004
【図４】
0005187948.tif 000005
【図５】
0005187948.tif 000006
【図６】
0005187948.tif 000007
【図７】
0005187948.tif 000008